(57)【特許請求の範囲】
【請求項１】
耕耘カバー（２４）後部に設けたリヤカバー（２７）に補助リヤカバー（３３）を取り付け可能とするロータリ耕耘装置において、該リヤカバー（２７）の左右両側の上面にはプレート状の補強部材（３４）を前後方向垂直に設け、該補強部材（３４）の後下部の上下位置に係合部材となる２本のピン（３５・３６）を左右水平方向に横設し、前記補助リヤカバー（３３）の左右両側に、前記補強部材（３４）の位置に合わせて取付プレート（４９）を前後方向に固設し、該取付プレート（４９）の上部は、下方へ開放した切り欠き部が設けられ、該切り欠き部の形状に沿ってカラー（３７）を取付プレート（４９）に固設し、前記カラー（３７）の前部は逆Ｕ字状の凹部（３７ａ）を形成し、前記ピン（３５・３６）の一方を嵌合可能に構成し、後部には係合部のロック機構を設け、上方を開放した凹状部（３７ｂ）を後方に向けて延設し、該凹状部（３７ｂ）及び凹部（３７ａ）にストッパピン（３９）を前後方向に摺動可能に挿通し、該凹状部（３７ｂ）のストパッピン（３９）上にスプリング（４１）を外嵌し、前記ピン（３５・３６）の前方のリヤカバー（２７）の補強部材（３４）に、補助リヤカバー（３３）の係合時の位置決め当接部であるガイド（４７）を設け、該ガイド（４７）は側面視階段状で、上段当接面（４７ａ）はピン３５の前方に位置してリヤカバー２７から離れるように傾斜し、下段当接面（４７ｂ）はピン（３６）の前方に位置し、リヤカバー（２７）に近づくように傾斜し、該上段当接面（４７ａ）と下段当接面（４７ｂ）との間には角度（α）を形成したことを特徴とするロータリ耕耘装置。
【発明の詳細な説明】
【０００１】
【発明の属する技術分野】
本発明は、ロータリ耕耘装置の耕耘爪の後方を覆うリヤカバーに取り付ける補助リヤカバーの構成に関する。
【０００２】
【従来の技術】
従来から、トラクタ等に装着されるロータリ耕耘装置において、該耕耘ロータリの耕耘カバー内に耕耘爪を配置し、該耕耘カバーの後部にリヤカバーを回動自在に枢支し、該リヤカバーの下部に、地面をさらに効果的に均平にするための補助リヤカバーが取り付けられている。例えば、補助リヤカバーを、リヤカバーの左右両側で２本のピンによりリヤカバーに固定したり、リヤカバーの左右両側で一本の支点ピンとステーにより上下位置と傾斜角度とを調整可能に構成したりしていた。そして、耕耘カバーは耕耘爪軸を中心に前後回動可能に構成されたものであり、その回動位置の調整をハンドルにより行うようにしていた。また、特許第２５４１６９２号公報に示す技術は、リヤカバー下部に取付台を設け、該取付台とリヤカバーとの間にフラップカバーを取り付けて、フラップカバーを取付台の円弧面に沿って上下方向に回動することによってフラップカバーの上下位置を調整するようにしていた。
【０００３】
【発明が解決しようとする課題】
しかし、従来のロータリ耕耘装置においては、リヤカバーに補助リヤカバーを着脱する際に手間が掛かるとともに、補助リヤカバーを回動可能にリヤカバーに取り付けた場合には、ステーにより補助カバーの上下位置と傾斜角度の調整を行わなければならず、調整作業が複雑となっていた。さらに、耕耘カバーは両側爪軸で回動自在に支持され、上面はハンドル支点で固定されているだけであり、固定式のロータリカバーと比較すると、強度が弱かった。また、特許第２５４１６９２号公報に示す技術は、フラップカバーとリヤカバーの取付台との間に土詰まりが発生すると、フラップカバーの着脱及び角度調整が困難となることがあった。
【０００４】
【課題を解決するための手段】
本発明の解決しようとする課題は以上の如くであり、次にこの課題を解決するための手段を説明する。
【０００５】
耕耘カバー（２４）後部に設けたリヤカバー（２７）に補助リヤカバー（３３）を取り付け可能とするロータリ耕耘装置において、該リヤカバー（２７）の左右両側の上面にはプレート状の補強部材（３４）を前後方向垂直に設け、該補強部材（３４）の後下部の上下位置に係合部材となる２本のピン（３５・３６）を左右水平方向に横設し、前記補助リヤカバー（３３）の左右両側に、前記補強部材（３４）の位置に合わせて取付プレート（４９）を前後方向に固設し、該取付プレート（４９）の上部は、下方へ開放した切り欠き部が設けられ、該切り欠き部の形状に沿ってカラー（３７）を取付プレート（４９）に固設し、前記カラー（３７）の前部は逆Ｕ字状の凹部（３７ａ）を形成し、前記ピン（３５・３６）の一方を嵌合可能に構成し、後部には係合部のロック機構を設け、上方を開放した凹状部（３７ｂ）を後方に向けて延設し、該凹状部（３７ｂ）及び凹部（３７ａ）にストッパピン（３９）を前後方向に摺動可能に挿通し、該凹状部（３７ｂ）のストパッピン（３９）上にスプリング（４１）を外嵌し、前記ピン（３５・３６）の前方のリヤカバー（２７）の補強部材（３４）に、補助リヤカバー（３３）の係合時の位置決め当接部であるガイド（４７）を設け、該ガイド（４７）は側面視階段状で、上段当接面（４７ａ）はピン３５の前方に位置してリヤカバー２７から離れるように傾斜し、下段当接面（４７ｂ）はピン（３６）の前方に位置し、リヤカバー（２７）に近づくように傾斜し、該上段当接面（４７ａ）と下段当接面（４７ｂ）との間には角度（α）を形成したものである。
【０００８】
【発明の実施の形態】
次に、発明の実施の形態を説明する。
図１は作業車両に装着したロータリ耕耘装置を示す側面図、図２はロータリ耕耘装置の側面図、図３はロータリ耕耘装置の平面図、図４は深耕時における補助リヤカバーの側面図、図５は同じく上面図、図６は浅耕時における補助リヤカバーの側面図、図７は耕耘カバーの部分断面図、図８はリヤカバーを回動最深位置とした場合の耕耘カバーの部分断面図、図９はリヤカバーを回動最浅位置とした場合の耕耘カバーの部分断面図、図１０は別実施例の耕耘カバーの部分断面図である。
【０００９】
まず、図１乃至図３を用いてロータリ耕耘装置１の構成について説明する。
作業車両としてのトラクタの後部にはロータリ耕耘装置１が装着されており、作業車両のエンジンからの動力の一部がミッションケース３後面より突出したＰＴＯ軸４よりユニバーサルジョイント等を介してロータリ耕耘装置１に伝えられて駆動する構成としている。
【００１０】
この作業車両は、前後に前輪５および後輪６を懸架する本体の前部にボンネット７を配設し、該ボンネット７内部にはエンジン２を配置している。ボンネット７の後方にはステアリングハンドル８を設けており、上記ステアリングハンドル８の後方にはシート９を配設している。またシート９の側部には主変速レバーが突設される。
【００１１】
エンジン２の後方にはミッションケース３を配設し、エンジン２からの動力をミッションケース３に伝えて変速して後輪６や前輪５に駆動力を伝達する構成としている。
【００１２】
作業車両の後部には作業機装着装置を介してロータリ耕耘装置１が装着されており、該作業機装着装置はトップリンク１０やロアリンク１１等より構成されて、ミッションケース３上部に配設した油圧ケース（図示せず）より突出したリフトアーム１２にリフトロッド（図示せず）を介してロアリンク１１に連結されて、リフトアームを回動することによりロータリ耕耘装置１を昇降回動可能としている。なお、作業機装着装置の後部にはワンタッチ式装着機構が設けられ、ロータリ耕耘装置１の着脱を簡単にできるようにしている。
【００１３】
次に、ロータリ耕耘装置１の構成について説明する。
図２および図３において、ロータリ耕耘装置１は左右中央上部にギヤケース１５を配置し、該ギヤケース１５より前方に入力軸を突出して、該入力軸にユニバーサルジョイント１６等を介して前記ＰＴＯ軸４と接続されている。前記ギヤケース１５の両側にメインビーム１７・１７を左右両側方に突設し、該メインビーム１７・１７の端部にチェーンケース１８とサイドサポート１９の上端を固設し、該チェーンケース１８とサイドサポート１９の下部に耕耘爪軸２０を横架している。該耕耘爪軸２０上には耕耘爪２１・２１・・・が放射状に所定の間隔をあけて配設され、ギヤケース１５内の動力伝達機構より耕耘爪軸２０に動力を伝えて回転駆動するようにしている。
【００１４】
また、前記チェーンケース１８とサイドサポート１９の下部の耕耘爪軸２０を支持する部分には耕耘カバー２４の両側下部が枢支され、該耕耘カバー２４は前記耕耘爪２１・２１・・・の回動軌跡上方を覆う構成とし、作業に合わせて耕耘カバー２４を耕耘爪軸２０を中心に前後回動可能に構成している。該耕耘カバー２４の後部には枢支軸２５を介してリヤカバー２７の前部が枢支され、耕耘カバー２４の後部上には摺動支持ブラケット２９・２９が後上方に立設され、リヤカバー２７の上面にはハンガーロッド３０・３０の下部が枢支され、該ハンガーロッド３０・３０の上部が前記摺動支持ブラケット２９・２９の上部に摺動可能に支持されている。なお、ハンガーロッド３０・３０にはバネが外嵌されて、作業時に地表面の凹凸に追随できるように付勢する構成としている。
そして、前記リヤカバー２７下部に、補助リヤカバー３３が設けられている。
【００１５】
次に、補助リヤカバー３３の取付構造について説明する。
図４及び図５に示すように、前記リヤカバー２７の左右両側の上面にはプレート状の補強部材３４が前後方向垂直に設けられており、該補強部材３４の後下部において上下位置に複数（本実施例では二つ）の係合部材となるピン３５・３６が左右水平方向に横設されている。一方、補助リヤカバー３３はリヤカバー２７の左右幅に合わせた長さで側面視「く」字状に曲げられ、該補助リヤカバー３３の左右両側の前記補強部材３４の位置に合わせて取付プレート４９が前後方向に固設されて、該補助リヤカバー３３より上方へ突出した取付プレート４９の上部には、下方へ開放した切り欠き部が設けられ、該切り欠き部の形状に沿ってカラー３７が取付プレート４９に固設されている。
【００１６】
前記カラー３７の前部は逆Ｕ字状の凹部３７ａを形成して前記ピン３５またはピン３６を嵌合可能に構成し、後部には係合部のロック機構が設けられており、上方を開放した凹状部３７ｂが後方に向けて延設され、該凹状部３７ｂ及び凹部３７ａにストッパピン３９が前後方向に摺動可能に挿通され、凹状部３７ｂにおけるストパッピン３９上にスプリング４１が外嵌され、該ストッパピン３９上に貫通したスプリングピン４２によりバネ受として、ストッパピン３９を前方（凹部３７ａ側）へ摺動するように付勢している。
【００１７】
また、前記ストッパピン３９他端（後端）にスプリングピン４５を介して操作レバー４４上部が枢支され、該操作レバー４４の中途部の下部が前記取付プレート４９に枢支軸４３を介して枢支され、該枢支軸４３を回動支点としている。また、前記取付プレート４９の下部には操作レバー４４を握り易いように開口部４９ａが形成されている。従って、該操作レバー４４の後部を握って回動させると、前部に枢結したストッパピン３９が後方に摺動されて、凹部３７ａを開放できるようにし、操作レバー４４を放すとスプリング４１の付勢力により元の位置に戻るようにしている。
【００１８】
また、前記ピン３５の前方のリヤカバー２７上に補助リヤカバー３３係合時の位置決め当接部が設けられており、前記補強部材３４にガイド４７が一体的に固設されている。該ガイド４７は、側面視階段状に形成されており、上段当接面４７ａはピン３５の前方に位置してリヤカバー２７から離れるように傾斜し、下段当接面４７ｂはピン３６の前方に位置してリヤカバー２７に近づくように傾斜する構成として、上段当接面４７ａと下段当接面４７ｂとの間には角度αが形成されている。そして、該上段当接面４７ａと下段当接面４７ｂの後面に前記補助リヤカバー３３の取付プレート４９前端面が当接するようにして回り止めされて固定できるようにしている。該取付プレート４９の前端面はストッパピン３９に対して垂直方向となるようにし、取付プレート４９前上部には補強プレート５３が固設されている。
【００１９】
このような構成において、操作レバー４４を下方へ回動すると、ストッパピン３９が後方へ摺動して、凹部３７ａが開放されてピン３５に嵌合して操作レバー４４を放すと、図４に示すように補助リヤカバー３３を上部位置で固定することができる。このとき、補助リヤカバー３３の下部底面はリヤカバー２５の略延長上に位置する。このようにして、補助リヤカバー３３の着脱を容易にすることができて、補助リヤカバー３３の上下位置の調整を簡単に行うことができる。また、補助リヤカバー３３の取付構造を簡単にすることができる。
【００２０】
また、図６に示すように、浅耕時には下方のピン３６に、補助リヤカバー３３を固定することによって、補助リヤカバー３３の上下位置を容易に調整することができる。つまり、操作レバー４４を握って凹部３７ｂを開放した状態で、ピン３６に嵌合して操作レバー４４を放すと、図６に示すように補助リヤカバー３３は下部位置に固定することができる。このとき、補助リヤカバー３３はガイド４７の傾斜面に沿って固定され、補助リヤカバー３３は更に後方へ延長することができて、リヤカバー２７の後部と略平行の状態で後方に延長することができ、補助リヤカバー３３は深耕時と略同様の姿勢で鉛直下方に移動されて地面に当接する。そのため、補助リヤカバー３３と地面との接地角θ２は、深耕時の接地角θ１と略変わらず、地面の均平化をより効果的に行うことができる。従来は、例えば、特許第２５４１６９２号公報の技術では、フラップカバーは、リヤカバー下部の円弧状の面を中心に回動し、深耕時は上へ、浅耕時は下へ回動することでフラップカバーの上下位置の調整を行うようにしているため、浅耕時にはフラッパーと地面との接地角が大きくなり、十分な効果を得ることができない場合があったのである。
【００２１】
次に、耕耘カバー２４の回動ロック機構について図７乃至図９より説明する。
図７に示すように、前記耕耘カバー２４は耕耘爪軸２０を中心に前後回動可能に構成されており、該耕耘カバー２４の上面に耕耘カバー２４の形状に合わせた円弧状に構成したプレート状の固定部材５０が左右両側に前後方向に設けられている。また、メインビーム１７にステー５１が後方に突設され、該ステー５１に連結ロッド５２が回動自在に枢支され、該連結ロッド５２他端が固定部材５０に固定されている。そのため、耕耘カバー２４の上部における両側と、耕耘カバー回動手段と、回動支持部により支持されて強度アップを図ることができ、石の噛み込みなどによる変形を防止することができる。
【００２２】
また、前記固定部材５０と連結ロッド５２の固定構成は、固定部材５０の側面には前後方向に所定間隔をあけて固定穴５０ａ・５０ａ・・・が複数設けられており、耕耘カバー２４を前後に回動した際に、固定穴５０ａ・５０ａ・・・と連結ロッド５２の固定位置を変更して固定することによって、リヤカバー２７を回動調整した位置で固定可能としている。例えば、図８に示すように、最も後に設けられた固定穴５０ａに連結ロッド５２の一端を固定すると、リヤカバー２７は回動最深位置となり、深耕作業が可能となる。また、図９に示すように、最も前に設けられた固定穴５０ａに連結ロッド５２の一端を固定すると、リヤカバー２７は回動最浅位置となり、代掻き等の作業が可能となる。なお、連結ロッド５２は後面視で断面略逆Ｕ字状に形成されており、不使用時には、図８の二点鎖線のように連結ロッド５２を固定部材５０に挟み込み固定することで収納することができるため、部品の紛失を防止できる。
【００２３】
また、耕耘カバー２４の回動ロック機構の別実施例について説明する。
図１０に示すように、前記耕耘カバー１４下部の両側にはステー５５・５５が突設され、該ステー５５・５５に丸棒状の連結ロッド５６の下部が回動自在に枢支されている。また、メインビーム１７に固設されたステー５７に支持部材（コマ）５８が設けられ、該支持部材５８に前記連結ロッド５６の上部が支持されている。該支持部材５８は角パイプまたは丸パイプに構成されて、前記連結ロッド５６を軸心部に挿入して軸心方向に摺動可能に支持し、支持部材５８の上下両側でスナップピン５９・５９により固定している。そして、該連結ロッド５６の上端部にはリング状のストッパー５６ａが固設されて抜け止めされている。
【００２４】
【発明の効果】
本発明は、以上のように構成したので、以下に示すような効果を奏する。
【００２５】
耕耘カバー（２４）後部に設けたリヤカバー（２７）に補助リヤカバー（３３）を取り付け可能とするロータリ耕耘装置において、該リヤカバー（２７）の左右両側の上面にはプレート状の補強部材（３４）を前後方向垂直に設け、該補強部材（３４）の後下部の上下位置に係合部材となる２本のピン（３５・３６）を左右水平方向に横設し、前記補助リヤカバー（３３）の左右両側に、前記補強部材（３４）の位置に合わせて取付プレート（４９）を前後方向に固設し、該取付プレート（４９）の上部は、下方へ開放した切り欠き部が設けられ、該切り欠き部の形状に沿ってカラー（３７）を取付プレート（４９）に固設し、前記カラー（３７）の前部は逆Ｕ字状の凹部（３７ａ）を形成し、前記ピン（３５・３６）の一方を嵌合可能に構成し、後部には係合部のロック機構を設け、上方を開放した凹状部（３７ｂ）を後方に向けて延設し、該凹状部（３７ｂ）及び凹部（３７ａ）にストッパピン（３９）を前後方向に摺動可能に挿通し、該凹状部（３７ｂ）のストパッピン（３９）上にスプリング（４１）を外嵌し、前記ピン（３５・３６）の前方のリヤカバー（２７）の補強部材（３４）に、補助リヤカバー（３３）の係合時の位置決め当接部であるガイド（４７）を設け、該ガイド（４７）は側面視階段状で、上段当接面（４７ａ）はピン３５の前方に位置してリヤカバー２７から離れるように傾斜し、下段当接面（４７ｂ）はピン（３６）の前方に位置し、リヤカバー（２７）に近づくように傾斜し、該上段当接面（４７ａ）と下段当接面（４７ｂ）との間には角度（α）を形成したので、補助リヤカバーの着脱が容易になり、補助リヤカバーの取付構造を簡単にすることができる。
【００２６】
また、前記係合部材とガイドに形成する当接面を複数形成して高さ調整可能に構成したので、補助カバーの上下位置の調整を簡単に行うことができ、耕深に合わせた補助リヤカバーの角度も同時に設定できる。
このようにして、補助リヤカバー３３の着脱を容易にすることができて、補助リヤカバー３３の上下位置の調整を簡単に行うことができる。また、補助リヤカバー３３の取付構造を簡単にすることができる。
また、浅耕時には下方のピン３６に、補助リヤカバー３３を固定することによって、補助リヤカバー３３の上下位置を容易に調整することができる。つまり、ピン３６に嵌合して、補助リヤカバー３３は下部位置に固定することができる。このとき、補助リヤカバー３３はガイド４７の傾斜面に沿って固定され、補助リヤカバー３３は更に後方へ延長することができて、リヤカバー２７の後部と略平行の状態で後方に延長することができ、補助リヤカバー３３は深耕時と略同様の姿勢で鉛直下方に移動されて地面に当接する。そのため、補助リヤカバー３３と地面との接地角θ２は、深耕時の接地角θ１と略変わらず、地面の均平化をより効果的に行うことができる。
従来、例えば、特許第２５４１６９２号公報の技術では、フラップカバーは、リヤカバー下部の円弧状の面を中心に回動し、深耕時は上へ、浅耕時は下へ回動することでフラップカバーの上下位置の調整を行うようにしているため、浅耕時にはフラッパーと地面との接地角が大きくなり、十分な効果を得ることができない場合があったのである。
【図面の簡単な説明】
【図１】  作業車両に装着したロータリ耕耘装置を示す側面図。
【図２】  ロータリ耕耘装置の側面図。
【図３】  ロータリ耕耘装置の平面図。
【図４】  深耕時における補助リヤカバーの側面図。
【図５】  同じく上面図。
【図６】  浅耕時における補助リヤカバーの側面図。
【図７】  耕耘カバーの部分断面図。
【図８】  リヤカバーを回動最深位置とした場合の耕耘カバーの部分断面図。
【図９】  リヤカバーを回動最浅位置とした場合の耕耘カバーの部分断面図。
【図１０】  別実施例の耕耘カバーの部分断面図。
【符号の説明】
２４  耕耘カバー
２７  リヤカバー
３３  補助リヤカバー
３４  補強部材
３５  ピン
３６  ピン
３７  カラー
４７  ガイド
４９  取付プレート
【図１】
0003884654.tif 000002
【図２】
0003884654.tif 000003
【図３】
0003884654.tif 000004
【図４】
0003884654.tif 000005
【図５】
0003884654.tif 000006
【図６】
0003884654.tif 000007
【図７】
0003884654.tif 000008
【図８】
0003884654.tif 000009
【図９】
0003884654.tif 000010
【図１０】
0003884654.tif 000011